(57)【特許請求の範囲】
【請求項１】
電池が装填される電池室を形成する筐体と、該電池室を覆う着脱自在な電池蓋とを備え、該電池室に装填された電池から電力供給を受けて動作する携帯機器において、
前記筐体が、
前記電池室の底面を形成する底部と、
前記底面の左右両縁から立設して内壁面が前記電池室の左右の壁面を形成し、外壁面の前方寄りの位置に、上縁に開口し該開口から下向きかつ前向きに曲線状に延在する溝からなるフック受け部を有する左右一対の立壁部と、
前記底面の前縁から立設し前記電池室の前側の壁面を形成するとともに該壁面上縁から前記底面と平行にさらに前方に広がる台座を形成する前壁部と、
前記底面の後縁から立設し前記電池室の後側の壁面を形成する後壁部とを有し、
前記電池蓋が、
前記電池室を覆う覆い板と、
前記覆い板の左右両縁前方寄りの位置で折れ曲がり、下方かつ前方に曲線状に延在して前記フック受け部の溝に入り込んで当該電池蓋を位置決めする、左右一対の位置決め用フック部と、
前記覆い板の前縁から折れ曲がり、当該電池蓋を、前方を斜め下に向けて前進させたときに前記台座に当接して当該電池蓋の上下方向の位置を規制する庇部とを有し、さらに、
前記覆い板の、前記電池室側の面に固定された、前記電池室を取り巻いて一周する防水用ガスケットを備えたことを特徴とする携帯機器。
【請求項２】
前記後壁部が、前記電池室の後側の壁面を形成するとともに、該壁面のさらに後側に、前記電池蓋を締結するための締結部を有し、
前記電池蓋が、さらに、前記覆い板の後縁に繋がり前記締結部に固定される固定部を有することを特徴とする請求項１記載の携帯機器。
【請求項３】
前記電池蓋が、さらに、前記覆い板の左右両縁の、前記位置決め用フック部よりも後方の位置で折れ曲がり、前記左右一対の立壁部の外壁面を挟んで当該電池蓋を固定する、左右一対の固定用フック部を有することを特徴とする請求項１又は２記載の携帯機器。
【請求項４】
前記庇部は、前記電池蓋を取り付けた状態において前記台座から離れる形状を有することを特徴とする請求項１から３のうちいずれか１項記載の携帯機器。
【請求項５】
前記庇部は、前記覆い板の前縁の左右それぞれに寄った各位置に１つずつ合計２箇所に形成されていることを特徴とする請求項１から４のうちいずれか１項記載の携帯機器。
【請求項６】
前記電池蓋は１枚の金属板の板金加工により形成されたものであることを特徴とする請求項１から５のうちいずれか１項記載の携帯機器。
【請求項７】
前記固定部が前記締結部に特殊ネジにより締結されていることを特徴とする請求項２から６のうちいずれか１項記載の携帯機器。
【請求項８】
前記締結部および前記固定部は１ヵ所にのみ形成されたものであることを特徴とする請求項２から７のうちいずれか１項記載の携帯機器。
【請求項９】
前記固定部は、互いの間に半円形の凹部を形成する２本の凸部を有するものであることを特徴とする請求項２から８のうちいずれか１項記載の携帯機器。
【請求項１０】
前記電池蓋を覆い、当該携帯機器の外形の一部を形成するカバー部材を備えたことを特徴とする請求項１から９のうちいずれか１項記載の携帯機器。
【請求項１１】
当該携帯機器が、無線通話機能を有する携帯電話機であることを特徴とする請求項１から８のうちいずれか１項記載の携帯機器。
【発明の詳細な説明】
【技術分野】
【０００１】
本発明は、電池が装填される電池室を形成する筐体と、電池室を覆う着脱自在な電池蓋とを備え、電池室に装填された電池から電力供給を受けて動作する携帯機器にに関する。
【背景技術】
【０００２】
近年、携帯電話機や携帯型のゲーム機などの携帯機器が広く普及しており、それらの携帯機器には、電池が装填されその電池から電力供給を受けて動作する構成を有するものが多い。
【０００３】
それらの携帯機器、例えば携帯電話機は益々高機能化されてきているにもかかわらず、一方では小型化、軽量化が進んできており、さらに近年では防水機能も求められてきている。防水機能を実現するにあたり、電池が装填される電池室の部分は筐体に大きな開口が形成されており、この部分に如何にして防水性を付与するかが問題となる。
【０００４】
例えば特許文献１には、電池パック収納部をＯリングと内カバーとで防水を行なうことが開示されており、また、特許文献２には電池蓋と防水パッキンとで電池ポケットの防水を行なうことが開示されている。
【特許文献１】特開２００４−５６１６４号公報
【特許文献２】特開平１１−２５９４０号公報
【発明の開示】
【発明が解決しようとする課題】
【０００５】
ここで、電池室周りについて防水性を付与するのに重要なことは、小型化、軽量化を損うことなく防水性を付与することである。電池室周りに防水性を付与するには、電池室を覆う蓋の内側にパッキンあるいはＯリングを固定しそのパッキンあるいはＯリングを電池室の周りに押し当てることが一般に考えられるが、その場合に、そのパッキンやＯリングを、電池室周りに、そのパッキンやＯリングに捩れを与えずに、すなわち大きな横向きの力を与えずに、押し当てる方向にのみ力を加えて押し当てる必要がある。このためには、蓋を電池室の真上から押し当てるのが最良であるが、蓋を本体と連結したまま蓋を電池室の真上から押し当てる構造を実現しようとすると複雑な構造が必要となり、小型化の要請に反する結果となる。また、電池室を覆う蓋をその一辺に沿う回動軸によって本体に開閉自在に軸支する構造を採用すると、その蓋の内側のパッキンやＯリングに横向きの力が発生することになるが、この横向きの力がその蓋を閉じるユーザによって変化することはなく、その横向きの力を考慮した設計を行なえば、その横向きの力を許容レベルに押えることができる。しかしながら、この場合も、その回転軸を構成して本体に回動自在に軸支する構造の分だけ大型化するおそれがある。
【０００６】
更なる小型化を図るには、その蓋を本体から完全に分離できるようにすることが好ましいが、その場合に、蓋の内側のパッキンやＯリングに作用する横向きの力は、その蓋を閉めようとするユーザの操作の微妙な操作加減によって変化してしまうことになり、その横向きの力、すなわちパッキンやＯリングの捩れを如何にして常に許容レベル以下に抑えるかが問題となる。
【０００７】
本発明は、上記事情に鑑み、小型化を損うことなく電池室の周りに十分な防水性が付与された携帯機器を提供することを目的とする。
【課題を解決するための手段】
【０００８】
上記目的を達成する本発明の携帯機器は、電池が装填される電池室を形成する筐体と、電池室を覆う着脱自在な電池蓋とを備え、電池室に装填された電池から電力供給を受けて動作する携帯機器において、
上記筐体が、
電池室の底面を形成する底部と、
上記底面の左右両縁から立設して内壁面が電池室の左右の壁面を形成し、外壁面の前方寄りの位置に、上縁に開口しその開口から下向きかつ前向きに曲線状に延在する溝からなるフック受け部を有する左右一対の立壁部と、
上記底面の前縁から立設し電池室の前側の壁面を形成するとともにその壁面上縁から底面と平行にさらに前方に広がる台座を形成する前壁部と、
上記底面の後縁から立設し電池室の後側の壁面を形成する後壁部とを有し、
上記電池蓋が、
電池室を覆う覆い板と、
覆い板の左右両縁前方寄りの位置で折れ曲がり、下方かつ前方に曲線状に延在してフック受け部の溝に入り込んでこの電池蓋を位置決めする、左右一対の位置決め用フック部と、
覆い板の前縁から折れ曲がり、この電池蓋を、前方を斜め下に向けて前進させたときに上記台座に当接してこの電池蓋の上下方向の位置を規制する庇部とを有し、さらに、
覆い板の、電池室側の面に固定された、電池室を取り巻いて一周する防水用ガスケットを備えたことを特徴とする。
【０００９】
本発明の携帯機器は、電池蓋を取り付けるにあたり、上記の庇部で電池蓋の上下方向の位置が規制され、その規制された状態で上記のフック受け部に位置決め用フック部を入り込ませる構造であり、この構造により、蓋を閉じるユーザの操作加減が大きく入り込む余地がなくなり、蓋の、電池室側の面に固定された防水用ガスケットに作用する横向きの力を、許容レベル内に抑えることができる。また、この蓋は、携帯機器本体（筐体）から完全に分離され、したがって開いた状態にある蓋を筐体に取り付けておくための構造は不要であり、小型化に寄与する。
【００１０】
ここで、本発明の携帯機器において、上記後壁部が、電池室の後側の壁面を形成するとともに、その壁面のさらに後側に、電池蓋を締結するための締結部を有し、
上記電池蓋が、さらに、上記覆い板の後縁に繋がり上記締結部に固定される固定部を有することことが好ましい。
【００１１】
上記の締結部と固定部とを備え、その締結部に固定部を固定する構造を採用すると、上記の位置決め用フック部がフック受け部に入り込むことと共同して、確実に防水性を発揮させた状態に電池蓋が固定される。
【００１２】
また、本発明の携帯機器において、上記電池蓋が、さらに、上記覆い板の左右両縁の、上記位置決め用フック部よりも後方の位置で折れ曲がり、上記左右一対の立壁部の外壁面を挟んでこの電池蓋を固定する、左右一対の固定用フック部を有することが好ましい。
【００１３】
このように、左右一対の固定用フック部を備えると、蓋を閉めた段階でその蓋が固定されるため蓋を閉じる作業が容易となる。
【００１４】
また、本発明の携帯機器において、上記庇部は、電池蓋を取り付けた状態において上記台座から離れる形状を有することが好ましい。
【００１５】
庇部が台座に接触していると電池蓋を開く方向の力が働くことになるが、ここでは、電池蓋を取り付けた状態では庇部が台座から離れるため、そのような不要な、あるいは有害な力が作用せず、防水性が維持される。
【００１６】
さらに、本発明の携帯機器において、上記庇部は、上記覆い板の前縁の左右それぞれに寄った各位置に１つずつ合計２箇所に形成されていることが好ましい。
【００１７】
この場合、左右の傾きがさらに押えられ、ガスケットに不用意な捻れが作用する要素がさらに低く抑えられる。
【００１８】
さらに、本発明の携帯機器において、電池蓋は１枚の金属板の板金加工により形成されたものであることが好ましい。
【００１９】
金属板で作ることにより薄型化が実現でき、板金加工で形成することにより低コスト化が実現できる。
【００２０】
さらに、本発明の携帯機器において、上記固定部が上記締結部に特殊ネジにより締結されていることが好ましい。
【００２１】
電池には有害物質が封入されていることが多く、電池が子供にも容易に取り出せる構造の場合、誤って口に含んで齧る事態も考えられる。
【００２２】
固定部を締結部に特殊ネジで固定することにより、子供には容易には電池を取り外すことができなくなり、安全性が向上し、特に子供向けの携帯機器に有用である。
【００２３】
さらに、本発明の携帯機器において、上記締結部および上前記固定部は１ヵ所にのみ形成されたものであることが好ましい。
【００２４】
本発明では、上記の、一対のフック受け部および一対の位置決め用フック部を有するため、締結部および固定部は１カ所のみで、十分な防水性を維持した状態に固定することができる。また、１カ所で済ませることにより小型化、軽量化に寄与し、蓋を閉じる際の作業性も向上する。
【００２５】
また、本発明の携帯機器において、上記固定部は、互いの間に半円形の凹部を形成する２本の凸部を有するものであることが好ましい。
【００２６】
円形の孔をくり抜いた形状の場合、電池蓋の製造過程で別の電池蓋の突起に引っ掛かり変形させてしまうおそれがあるが、半円形にしておくことにより、ネジ止め等による取付性は維持しつつ、上記のような引っ掛かりを防止することができる。
【００２７】
さらに、本発明の携帯機器において、上記電池蓋を覆い、この携帯機器の外形の一部を形成するカバー部材を備えることが好ましい。
【００２８】
上記の電池蓋だけで防水性は確保されるが、さらにこの電池蓋を覆ってこの携帯機器の外形の一部を形成するカバー部材を備えることにより、外形のデザイン性についてはそのカバー部材に担わせることができ、一層良好なデザイン、外観を得ることができる。
【００２９】
ここで、本発明の携帯機器は、無線通話機能を有する携帯電話機であってもよい。
【００３０】
本発明は、携帯電話機に好適に適用することができる。
【発明の効果】
【００３１】
以上の本発明によれば、小型化、軽量化を維持しつつ、電池室周りに十分な防水性を付与することができる。
【発明を実施するための最良の形態】
【００３２】
以下、本発明の実施形態について説明する。
【００３３】
図１は、本発明の携帯機器の一実施形態である携帯電話機の外観を示す斜視図である。
【００３４】
この携帯電話機１は、本体ユニット１０と、表示ユニット２０とを有し、表示ユニット２０は本体ユニット１０に軸支されて開閉する構造となっている。
【００３５】
本体ユニット１０には、ユーザによる操作を受けて電話番号やその他様々な情報を入力するためのキー１１が多数配列されており、また、その下端部には、内部のマイクロホンに通じる送話口１２が設けられている。
【００３６】
また、表示ユニット２０にはその中央に画像表示用の表示画面２１が備えられており、その上部には、内部の発音体からの音を出力するための受話口２２が備えられている。
【００３７】
この携帯電話機１には、電池パックが装填され、この携帯電話機１は、装填された電池パックから電力供給を受けて動作する。
【００３８】
この携帯電話機１には、無線電話機能のほか電子メールの送受信機能やその他の様々な機能が組み込まれているが、本実施形態はそれらの機能自体は主題ではなく、ここではそれらの詳細は割愛し、以下では本実施形態に特有な電池室周りの構造に絞って説明する。
【００３９】
図２は、本体ユニットの電池室の部分の、その本体ユニットを背面側から見たときの分解斜視図、図３は、本体ユニットを前面側から見たときの、電池室周りの分解斜視図である。
【００４０】
本体ユニット１０の筐体１３には、電池室１４が設けられているが、ここではその電池室１４に電池パック３０が装填された状態が示されている。この電池パック３０は、矩形の板状のものであり、電池室１４も、その電池パック３０に合わせ、矩形であって、その電池パック３０の板厚に合わせた深さの形状を有している。
【００４１】
電池パック３０を収容した状態の電池室１４は、さらにリアカバープレート１５で覆われて一本の特殊ネジ１６で固定され、さらにそのリカバープレート１５がリアカバー１７で覆われる構造を有している。リアカバープレート１５は、本発明にいう電池蓋の一例である。
【００４２】
図４は、リアカバーを取り外した状態（リアカバープレートは取り付けられている状態）の本体ユニットの平面図（Ａ）と側面図（Ｂ）である。
【００４３】
ここには、電池室（図示せず）がリアカバープレート１５で覆われて特殊ネジ（ここでは六角ネジ）１６で固定された状態が示されている。
【００４４】
図５は、図４に示す円Ｒ１の部分の拡大図、図６は、図４に示す円Ｒ２の部分の拡大図、図７は、図４に矢印ａ−ａで示す部分の断面拡大図である。
【００４５】
前述したように、本体ユニット１０の筐体１３には、図７に一部を示すような電池室１４が形成されており、この筐体１３は、電池室１４の底面１４１を形成する底部１３１、および底面１４１の左右両縁（図７には右側の縁が示されている）から立設した立設部１３２を有する。この立設部１３２の内壁面は、電池室１４の左右の壁面１４２（図７には右側の壁面が示されている）を形成し、この立設部１３２の外壁面の前方寄りの位置には、図５に示すようなフック受け部１３２ａと呼ばれる溝が形成されている。このフック受け部１３２ａにはリアカバープレート１５に形成されている位置決め用フック部１５２が入り込む。
【００４６】
図５に示すように、このフック受け部１３２ａは、上縁に開口１３２ａ＿１を有し、両側面の底面１３２ａ＿２，１３２ａ＿３が、その開口１３２ａ＿１から、下向き（図５の右方）かつ前向き（図５の上方）に曲線状に延び、この溝全体が下向きかつ前向きに延在する形状となっている。
【００４７】
また、図４に示すように、筐体１３の、電池室１４の前方には、前壁部１３３が形成され、後方には後壁部１３４が形成されている。
【００４８】
前壁部１３３は、電池室１４の底面１４１（図７参照）の前縁（図４の上方の縁）から立設して電池室１４の前側の壁面（図示せず）を形成するとともに、その前側の壁面上縁から底面１４１と平行に広がる台座１３３ａを形成している。
【００４９】
また、後壁部１３４は、電池室１４の底面１４１（図７参照）の後縁（図４の下方の縁）から立設し電池室１４の後側の壁面を形成するとともに、その後側の壁面のさらに後側に、リアカバープレート１５（図２参照）を特殊ネジ１６でネジ止めするためのネジ穴１３４ａ（図２参照）が形成されている。
【００５０】
また、左右の立壁部１３２（図７参照）の外壁面の、フック受け部１３３（図５参照）よりも後方の部分には、図６に示すような、リアカバープレート１５の固定用フック部１５５が入り込む溝からなるフック受け部１３２ｂが形成されている。
【００５１】
リアカバープレート１５に設けられた固定用フック部１５５は、筐体１３の電池室１４の左右の立壁部１３２を左右から挟み、リアカバープレート１５を仮止めする役割りを担っている。
【００５２】
図８は、リアカバープレートの６画図であり、（Ａ）は正面図、（Ｂ）は左側面図、（Ｃ）は右側面図、（Ｄ）は上面図、（Ｅ）は下面図、（Ｆ）は背面図である。
【００５３】
このリアカバープレート１５は、１枚の金属板の板金加工で形成されている。
【００５４】
このリアカバープレート１５は、大きく広がって電池室１４（図２参照）を覆う覆い板１５１と、その覆い板１５１の左右両縁１５１ａ，１５１ｂの前方寄りの位置で折れ曲がった左右一対の位置決め用フック１５２と、覆い板１５１の前縁１５１ｃから折れ曲がった庇部１５３と、覆い板１５１の後縁１５１ｄに繋がる固定部１５４と、覆い板１５１の左右両縁１５１ａ，１５１ｂの、位置決め用フック部１５２よりも後方の位置で折れ曲がった左右一対の固定用フック部１５５とを有し、さらに、覆い板１５１の、電池室側の面に固定された防水用ガスケット１５６を備えている。
【００５５】
左右一対の位置決め用フック部１５２は、覆い板１５１の左右両縁１５１ａ，１５１ｂの前方寄りの位置で折れ曲がり、下方かつ前方に曲線状に延在した形状を有しており、電池室１４の左右の壁面を形成している左右一対の立壁部１３２の外壁面に形成されたフック受け部１３２ａ（図５参照）に入り込んでこの電池蓋１５を位置決めするものである。
【００５６】
また、庇部１５３は、覆い板１５１の前縁１５１ａから折れ曲がりこのリアカバープレート１５を、前方を斜め下に向けて前進させたときに、電池室１４の前壁を形成している前壁部１３３の台座１３３ａ（図２参照）に当接して、このリアカバープレート１５の上下方向の位置を規制するものである。詳細は、図９、図１０を参照して後述する。
【００５７】
この庇部１５３は、覆い板１５１の前縁１５１ｃの左右それぞれに寄った各位置に１つずつ合計２箇所に形成されており、リアカバープレート１５を取り付ける際の左右の傾きも防止されるようになっている。
【００５８】
尚、この庇部１５３は、リアカバープレート１５を取り付ける際のみ作用し、取り付け後は、このリアカバープレート１５に不用意な力が及ばないよう、台座１３３ａから離れる形状となっている。
【００５９】
また、このリアカバープレート１５の覆い板１５１の後縁１５１ｄに繋がる固定部１５４は、互いの間に半円形の凹部１５４ａを形成する２本の凸部１５４ｂ，１５４ｃを有し、その中央の凹部１５４ａが、筐体１３の、電池室１４の後側の壁面を形成する後壁部１３４に設けられたネジ穴１３４ａ（図２参照）と重なり、特殊ネジ（ここでは六角ネジ）１６でネジ止めされる。
【００６０】
また、左右一対の固定用フック部１５５は、リアカバープレート１５の覆い板１５１の左右両縁１５１ａ，１５１ｂの、上述した位置決め用フック部１５２よりも後方の位置で折れ曲がり、左右一対の立壁部１３２の外壁面を挟んで（図６、図７参照）、リアカバープレート１５を、電池室１４を覆った状態に仮止めする役割りを成すものである。左右一対の固定用フック部１５５で仮止めされた状態のリアカバープレート１５の固定部１５４が特殊ネジ（六角ネジ）１６で本体ユニット１０の筐体１３にネジ止めされる。
【００６１】
ここで、リアカバープレート１５には左右一対の位置決め用フック部１５２が設けられており、それらの位置決め用フック部１５２は、図５に一方を示すように、左右の立壁部１３２の外壁に形成されたフック受け部１３２ａに入り込んでいるため、１箇所の固定部１５４を１本の特殊ネジ１６で１カ所だけネジ止めするだけで、リアカバープレート１５が電池室１４を完全に覆った状態に固定される。
【００６２】
さらに、覆い板１５１の、電池室側の面に固定されたガスケット１５６は、図７に示すように、電池室１４の周りに接触してその電池室を取り巻いて一周し、電池室１４への水の浸入を防止する役割りを担っている。
【００６３】
図９は、リアカバープレートを取り付ける途中の状態を示した図、図１０はリアカバープレートの取付けが完了した状態を示した図である。
【００６４】
リアカバープレート１５を取り付けるにあたっては、リアカバープレート１５を、前方を斜め下に向けて前進させて、リアカバープレート１５の前端に設けられている庇部１５３を台座１３３ａに乗せ、位置決め用フック部１５２をフック受け部１３２ａの溝に合わせて矢印方向に下げていく。すると、位置決め用フック部１５２がフック受け部１３２ａに入り込み、さらに下げていくと固定用フック部１５５がフック受け部１３２ｂに入り込みリアカバープレート１５が仮止めされる。こうしておいて、固定部１５４が特殊ネジ１６でネジ止めされる。
【００６５】
図１１は、リアカバープレートを下げていく途中の軌跡を示した図である。
【００６６】
このリアカバープレート１５は、電池室１４の真上から垂直に電池室上１２に降ろされるものではなく、図９、図１１に示す矢印のように回転を伴って電池室１４上に降ろされる。したがって、ガスケット１５６には横向きの力が働くが、庇部１５３により、リアカバープレート１５を取り付ける際の上下方向の位置が定まり、さらに、左右一対の位置決め用フック部１５２がフック受け部１３２ａに入り込むことによりこのリアカバープレート１５の取付時の動きが一義的に定まり、ガスケット１５６に働く横向きの動きもユーザの操作加減に寄らず小さくて済む。この図１１に示す例では、横向きの動きは最大０．１８ｍｍとなっている。
【００６７】
このように、ここでは、上記の構成により、ユーザの操作に寄らずガスケット１５６にかかる横向きの動きを小さい範囲に抑えることができるため、十分かつ確実な防水性能を得ることができる。また、電池パック３０の交換のために開けたリアカバープレート１５を筐体１３から分離しないように支持しておくための構造は不要であり、小型化が図られている。また、ここではリアカバープレート１５を特殊ネジ（六角ネジ）で固定しているため、電池が不用意に外されるおそれがなく、子供などへの安全性が高められ、子供向けの携帯電話機としても好適な構造となっている。
【００６８】
尚、ここでは、電池室まわりの防水構造について説明したが、この携帯電話機１の他の部分も全て防水構造を有している。他の部分の防水構造についての説明は割愛する。
【図面の簡単な説明】
【００６９】
【図１】本発明の携帯機器の一実施形態である携帯電話機の外観を示す斜視図である。
【図２】本体ユニットの電池室の部分の、その本体ユニットを背面側から見たときの分解斜視図である。
【図３】本体ユニットを前面側から見たときの、電池室周りの分解斜視図である。
【図４】リアカバーを取り外した状態（リアカバープレートは取り付けられている状態）の本体ユニットの平面図（Ａ）と側面図（Ｂ）である。
【図５】図４に示す円Ｒ１の部分の拡大図である。
【図６】図４に示す円Ｒ２の部分の拡大図である。
【図７】図４に矢印ａ−ａで示す部分の断面拡大図である。
【図８】リアカバープレートの６画図である。
【図９】リアカバープレートを取り付ける途中の状態を示した図である。
【図１０】リアカバープレートの取付けが完了した状態を示した図である。
【図１１】リアカバープレートを下げていく途中の軌跡を示した図である。
【符号の説明】
【００７０】
１    携帯電話機
１０    本体ユニット
１３    筐体
１４    電池室
１５    リアカバープレート
１６    特殊ネジ
１７    リアカバー
３０    電池パック
１３１    底部
１３２    立壁部
１３２ａ，１３２ｂ    フック受け部
１３２ａ＿１    開口
１３２ａ＿２，１３２ａ＿３    底面
１３３    前壁部
１３３ａ    台座
１３４    後壁部
１３４ａ    ネジ穴
１４１    底面
１４２    壁面
１５１    覆い板
１５１ａ，１５１ｂ    左右両縁
１５１ｃ    前縁
１５１ｄ    後縁
１５２    位置決め用フック部
１５３    庇部
１５４    固定部
１５４ａ    凹部
１５４ｂ，１５４ｃ    凸部
１５５    固定用フック部
１５６    防水用ガスケット
【図１】
0005233244.tif 000002
【図２】
0005233244.tif 000003
【図３】
0005233244.tif 000004
【図４】
0005233244.tif 000005
【図５】
0005233244.tif 000006
【図６】
0005233244.tif 000007
【図７】
0005233244.tif 000008
【図８】
0005233244.tif 000009
【図９】
0005233244.tif 000010
【図１０】
0005233244.tif 000011
【図１１】
0005233244.tif 000012